(57)【要約】【課題】格子状ノイズを発生させることなく動画偽輪郭を低減する。【解決手段】プラズマディスプレイ装置は、入力画像において移動体となり得る画像の特徴を検出する絵柄検出手順と、現在のラインで画像の特徴を有する特徴検出画素が検出され、１ライン前の隣接画素で画像の特徴が検出されないとき、偶数フレームであれば特徴検出画素を第１の発光パターンで発光させ、奇数フレームであれば特徴検出画素を第２の発光パターンで発光させる第１の発光制御手順と、現在のラインで特徴検出画素が検出され、１ライン前の隣接画素で画像の特徴が検出されたとき、特徴検出画素を１ライン前の隣接画素と異なる発光パターンで発光させる第２の発光制御手順とを実行する。【選択図】        図１
2005024783.tif 000002
【特許請求の範囲】
【請求項１】
第１の発光パターンと第２の発光パターンとを水平、垂直方向共に画素毎に交互に設定して画素を発光させ、かつ前記第１の発光パターンと前記第２の発光パターンとをフレーム毎に入れ替えるプラズマディスプレイパネルの表示方法において、
入力画像において移動体となり得る画像の特徴を画素毎に検出する絵柄検出手順と、
現在のラインで前記画像の特徴を有する特徴検出画素が検出され、かつ１ライン前の隣接画素で前記画像の特徴が検出されないとき、前記入力画像が偶数フレームであれば、前記特徴検出画素を前記第１の発光パターンで発光させ、前記入力画像が奇数フレームであれば、前記特徴検出画素を前記第２の発光パターンで発光させる第１の発光制御手順と、
現在のラインで前記特徴検出画素が検出され、かつ１ライン前の隣接画素で前記画像の特徴が検出されたとき、前記特徴検出画素を前記１ライン前の隣接画素と異なる発光パターンで発光させる第２の発光制御手順とを実行することを特徴とするプラズマディスプレイパネルの表示方法。
【請求項２】
請求項１記載のプラズマディスプレイパネルの表示方法において、
前記移動体となり得る画像の特徴は、画像の輪郭であることを特徴とするプラズマディスプレイパネルの表示方法。
【請求項３】
請求項１記載のプラズマディスプレイパネルの表示方法において、
前記移動体となり得る画像の特徴は、前記入力画像の画素データが桁上がりするビットまたは桁下がりするビットを含む輝度変化であることを特徴とするプラズマディスプレイパネルの表示方法。
【請求項４】
請求項１記載のプラズマディスプレイパネルの表示方法において、
プラズマディスプレイパネルの１フレーム期間を、発光期間がそれぞれ重み付けされた複数のサブフレームに分割し、
前記入力画像の画素の発光パターンとして前記第１の発光パターンが選択されたとき、この選択された第１の発光パターンと前記入力画像の画素データとに応じたサブフレームを選択して、選択したサブフレームの発光期間に基づき画素を発光させる第１の発光パターン生成手順と、
前記入力画像の画素の発光パターンとして前記第２の発光パターンが選択されたとき、この選択された第２の発光パターンと前記入力画像の画素データとに応じたサブフレームを選択して、選択したサブフレームの発光期間に基づき画素を発光させる第２の発光パターン生成手順とを実行することを特徴とするプラズマディスプレイパネルの表示方法。
【請求項５】
第１の発光パターンと第２の発光パターンとを水平、垂直方向共に画素毎に交互に設定して画素を発光させ、かつ前記第１の発光パターンと前記第２の発光パターンとをフレーム毎に入れ替えるプラズマディスプレイ装置において、
入力画像において移動体となり得る画像の特徴を画素毎に検出する絵柄検出手段と、
現在のラインで前記画像の特徴を有する特徴検出画素が検出され、かつ１ライン前の隣接画素で前記画像の特徴が検出されないとき、前記入力画像が偶数フレームであれば、前記特徴検出画素を前記第１の発光パターンで発光させ、前記入力画像が奇数フレームであれば、前記特徴検出画素を前記第２の発光パターンで発光させる第１の発光制御手段と、
現在のラインで前記特徴検出画素が検出され、かつ１ライン前の隣接画素で前記画像の特徴が検出されたとき、前記特徴検出画素を前記１ライン前の隣接画素と異なる発光パターンで発光させる第２の発光制御手段とを有することを特徴とするプラズマディスプレイ装置。
【請求項６】
請求項５記載のプラズマディスプレイ装置において、
前記移動体となり得る画像の特徴は、画像の輪郭であることを特徴とするプラズマディスプレイ装置。
【請求項７】
請求項５記載のプラズマディスプレイ装置において、
前記移動体となり得る画像の特徴は、前記入力画像の画素データが桁上がりするビットまたは桁下がりするビットを含む輝度変化であることを特徴とするプラズマディスプレイ装置。
【請求項８】
請求項５記載のプラズマディスプレイ装置において、
プラズマディスプレイパネルの１フレーム期間を、発光期間がそれぞれ重み付けされた複数のサブフレームに分割するフレーム分割手段と、
前記入力画像の画素の発光パターンとして前記第１の発光パターンが選択されたとき、この選択された第１の発光パターンと前記入力画像の画素データとに応じたサブフレームを選択して、選択したサブフレームの発光期間に基づき画素を発光させる第１の発光パターン生成手段と、
前記入力画像の画素の発光パターンとして前記第２の発光パターンが選択されたとき、この選択された第２の発光パターンと前記入力画像の画素データとに応じたサブフレームを選択して、選択したサブフレームの発光期間に基づき画素を発光させる第２の発光パターン生成手段とを有することを特徴とするプラズマディスプレイ装置。
【発明の詳細な説明】
【０００１】
【発明の属する技術分野】
本発明は、プラズマディスプレイパネルに係り、特に動画偽輪郭の低減が可能なプラズマディスプレイパネルの表示方法およびプラズマディスプレイ装置に関するものである。
【０００２】
【従来の技術】
プラズマディスプレイパネル（以下、ＰＤＰとする）は、走査ライン毎に複数の行電極を配列するとともに、行電極に交叉して複数の列電極を配列し、行電極と列電極の交点に１画素に対応した放電セルを形成している。このようなＰＤＰの放電セルは発光と非発光の２つの状態しか有しないため、１フレームの表示期間を、画素の点灯期間である維持発光期間（発光輝度に比例）の相対比がそれぞれ異なる複数のサブフレームに分割することにより中間の階調表示を得るようにしている。
【０００３】
図９の例は、１フレーム表示期間が８個のサブフレームＳＦ１〜ＳＦ８により構成され、８個の階調ビットにより２５６階調表示が行われる例である。すなわち、最上位の階調ビット（８ビット目）がサブフレームＳＦ８に対応するとともに、以下順に、７ビット目の階調ビットがサブフレームＳＦ７に、６ビット目の階調ビットがサブフレームＳＦ６に、５ビット目の階調ビットがサブフレームＳＦ５に、４ビット目の階調ビットがサブフレームＳＦ４に、３ビット目の階調ビットがサブフレームＳＦ３に、２ビット目の階調ビットがサブフレームＳＦ２にそれぞれ対応し、最下位の階調ビット（１ビット目）がサブフレームＳＦ１に対応する。
【０００４】
各サブフレームＳＦ１〜ＳＦ８では、維持発光期間がそれぞれ階調数（発光輝度の相対比：維持発光パルス数に比例）１（＝２０  ），２（＝２１  ），４（＝２２  ），８（＝２３  ），１６（＝２４  ），３２（＝２５  ），６４（＝２６  ），１２８（＝２７  ）として重み付けされている。このように、ＰＤＰでは放電セルが発光と非発光の２つの状態しか有しないことから、中間の階調を表現するため、１フレーム期間を複数のサブフレームＳＦ１〜ＳＦ８に分割するとともに、各サブフレームＳＦ１〜ＳＦ８において画素データの輝度レベルに対応した重み付けを行いその重み付けに応じた発光回数で対応の画素（すなわち、対応の放電セル）を発光させるようにしている。
【０００５】
ここで、各サブフレームを単純に発光輝度の相対比の順に並べて表示を行うと、第１の画素データの２進値が例えば「０１１１１１１１」で、これに隣接する第２の画素データの２進値が第１の画素データより１つ発光輝度が増加して桁上がりが生じた「１０００００００」である場合、第１の画素がサブフレームＳＦ１〜ＳＦ７で発光し、第２の画素がサブフレームＳＦ８のみで発光する。このとき、人間の目は第１の画素と第２の画素との間に本来存在しないはずの輝度を認識してしまい、動画偽輪郭と呼ばれる特有の画質劣化が生じる。この動画偽輪郭の発生原因は、人間の目が、あるサブフレームとその前後のサブフレームにおける発光部分や未発光部分を融合して認識してしまうことにある。
【０００６】
この動画偽輪郭を解決するため、発光重心の異なる２つの発光パターンを交互に並べることにより、動画偽輪郭の発生を抑制する方法が提案されている（例えば、特許文献１参照）。この方法は、図１０（ａ）に示すように、水平方向、垂直方向共に２種類の発光重心の異なる発光パターンＡとＢとを画素ごとに交互に並べて発光させるものである。
【０００７】
例えば、第１ラインの第１画素では発光パターンＡで発光させ、第１ラインの第２画素では発光パターンＢで発光させて、以下同様に第１ラインでは発光パターンＡとＢとを交互に繰り返す。また、第２ラインの第１画素では発光パターンＢで発光させ、第２ラインの第２画素では発光パターンＡで発光させて、以下同様に第２ラインでは発光パターンＢとＡとを交互に繰り返す。こうして、明暗を分散させて輝度を平均化して、動画偽輪郭を相殺する。このとき、発光パターンＡとＢとは、それぞれ表す輝度が異なるため、その平均値が必要な輝度になるような組み合わせにする。
【０００８】
また、発光パターンＡとＢとの配置を固定化すると、発光パターンＡの輝度と発光パターンＢの輝度との差が大きい場合、人の目には発光パターンＡ，Ｂの輝度の平均ではなく、発光パターンＡ，Ｂのそれぞれの輝度が認識されるので、格子状の明暗のノイズが発生する。そこで、図１０（ａ）のような市松模様で発光させた後、次のフレームでは図１０（ｂ）に示すように発光パターンＡとＢとを入れ替えることで格子状ノイズが発生しないようにしている。なお、出願人は、本明細書に記載した先行技術文献情報で特定される先行技術文献以外には、本発明に関連する先行技術文献を出願時までに発見するには至らなかった。
【０００９】
【特許文献１】
特開２００２−３７２９４８号公報
【００１０】
【発明が解決しようとする課題】
以上のように、従来の動画偽輪郭抑制方法では、互いに発光重心が異なる発光パターンＡとＢとを水平、垂直方向共に画素毎に交互に設定して画素を発光させ、かつ発光パターンＡとＢとをフレーム毎に入れ替えることで、動画偽輪郭の発生を抑制している。しかしながら、この動画偽輪郭抑制方法では、静止画では格子状ノイズが発生しないが、動画では映像の移動速度や人の目の動きによって格子状ノイズが発生するという問題点があった。
【００１１】
ここで、動画において格子状ノイズが発生する理由を図１１を用いて説明する。図１１（ａ）では、灰色画素の集まりからなる背景ＢＧの上に白画素の集まりからなる正方形の物体ＯＢＪが存在するが、この物体ＯＢＪは次のフレームでは図１１（ｂ）に示すように右に１画素移動している。このとき、物体ＯＢＪを表す白画素の発光パターンの配列を見ると、図１１（ａ）に示した前フレームと図１１（ｂ）に示した現フレームで発光パターンＡとＢの配列が等しいことが分かる。人の目は移動する物体を追いかける性質がある。このため、人の目が物体ＯＢＪを追いかけた場合、人の目で見た物体ＯＢＪは、発光パターンＡとＢの配列がフレーム毎に入れ替わることなく、固定された配列で発光するように見えるので、格子状ノイズが発生する。
【００１２】
本発明は、上記課題を解決するためになされたもので、プラズマディスプレイパネルにおいてサブフレーム法による階調表示を行う場合に、格子状ノイズを発生させることなく動画偽輪郭と呼ばれる画質劣化を低減し、画質の向上を図ることを目的とする。
【００１３】
【課題を解決するための手段】
本発明は、第１の発光パターンと第２の発光パターンとを水平、垂直方向共に画素毎に交互に設定して画素を発光させ、かつ前記第１の発光パターンと前記第２の発光パターンとをフレーム毎に入れ替えるプラズマディスプレイパネルの表示方法において、入力画像において移動体となり得る画像の特徴を画素毎に検出する絵柄検出手順と、現在のラインで前記画像の特徴を有する特徴検出画素が検出され、かつ１ライン前の隣接画素で前記画像の特徴が検出されないとき、前記入力画像が偶数フレームであれば、前記特徴検出画素を前記第１の発光パターンで発光させ、前記入力画像が奇数フレームであれば、前記特徴検出画素を前記第２の発光パターンで発光させる第１の発光制御手順と、現在のラインで前記特徴検出画素が検出され、かつ１ライン前の隣接画素で前記画像の特徴が検出されたとき、前記特徴検出画素を前記１ライン前の隣接画素と異なる発光パターンで発光させる第２の発光制御手順とを実行するようにしたものである。
また、本発明のプラズマディスプレイパネルの表示方法の１構成例において、前記移動体となり得る画像の特徴は、画像の輪郭である。
また、本発明のプラズマディスプレイパネルの表示方法の１構成例において、前記移動体となり得る画像の特徴は、前記入力画像の画素データが桁上がりするビットまたは桁下がりするビットを含む輝度変化である。
【００１４】
また、本発明のプラズマディスプレイパネルの表示方法の１構成例は、プラズマディスプレイパネルの１フレーム期間を、発光期間がそれぞれ重み付けされた複数のサブフレームに分割し、前記入力画像の画素の発光パターンとして前記第１の発光パターンが選択されたとき、この選択された第１の発光パターンと前記入力画像の画素データとに応じたサブフレームを選択して、選択したサブフレームの発光期間に基づき画素を発光させる第１の発光パターン生成手順と、前記入力画像の画素の発光パターンとして前記第２の発光パターンが選択されたとき、この選択された第２の発光パターンと前記入力画像の画素データとに応じたサブフレームを選択して、選択したサブフレームの発光期間に基づき画素を発光させる第２の発光パターン生成手順とを実行するようにしたものである。
【００１５】
また、本発明は、第１の発光パターンと第２の発光パターンとを水平、垂直方向共に画素毎に交互に設定して画素を発光させ、かつ前記第１の発光パターンと前記第２の発光パターンとをフレーム毎に入れ替えるプラズマディスプレイ装置において、入力画像において移動体となり得る画像の特徴を画素毎に検出する絵柄検出手段と、現在のラインで前記画像の特徴を有する特徴検出画素が検出され、かつ１ライン前の隣接画素で前記画像の特徴が検出されないとき、前記入力画像が偶数フレームであれば、前記特徴検出画素を前記第１の発光パターンで発光させ、前記入力画像が奇数フレームであれば、前記特徴検出画素を前記第２の発光パターンで発光させる第１の発光制御手段と、現在のラインで前記特徴検出画素が検出され、かつ１ライン前の隣接画素で前記画像の特徴が検出されたとき、前記特徴検出画素を前記１ライン前の隣接画素と異なる発光パターンで発光させる第２の発光制御手段とを有するものである。
また、本発明のプラズマディスプレイ装置の１構成例において、前記移動体となり得る画像の特徴は、画像の輪郭である。
また、本発明のプラズマディスプレイ装置の１構成例において、前記移動体となり得る画像の特徴は、前記入力画像の画素データが桁上がりするビットまたは桁下がりするビットを含む輝度変化である。
【００１６】
また、本発明のプラズマディスプレイ装置の１構成例は、プラズマディスプレイパネルの１フレーム期間を、発光期間がそれぞれ重み付けされた複数のサブフレームに分割するフレーム分割手段と、前記入力画像の画素の発光パターンとして前記第１の発光パターンが選択されたとき、この選択された第１の発光パターンと前記入力画像の画素データとに応じたサブフレームを選択して、選択したサブフレームの発光期間に基づき画素を発光させる第１の発光パターン生成手段と、前記入力画像の画素の発光パターンとして前記第２の発光パターンが選択されたとき、この選択された第２の発光パターンと前記入力画像の画素データとに応じたサブフレームを選択して、選択したサブフレームの発光期間に基づき画素を発光させる第２の発光パターン生成手段とを有するものである。
【００１７】
【発明の実施の形態】
以下、本発明の実施の形態について図面を参照して詳細に説明する。図１は本発明の実施の形態となるプラズマディスプレイ装置の構成を示すブロック図である。本実施の形態のプラズマディスプレイ装置は、ＰＤＰ１と、ＰＤＰ１を駆動する駆動部２と、アナログ映像信号をＡ／Ｄ変換して８ビットの入力画像データＶｄａｔａとするＡ／Ｄ変換部３と、この８ビットの入力画像データＶｄａｔａに基づきＰＤＰ１の表示対象の画素が異なる発光パターンで発光されるように駆動部２を制御する発光制御部４とから構成される。
【００１８】
本実施の形態では、入力画像データＶｄａｔａにおいて移動体となり得る画像の特徴を画素ごとに検出して、移動体となり得る画像の特徴を有する画素の発光パターンがフレーム毎に入れ替わるように発光パターンを制御する。図２は、このような発光パターン制御を行う発光制御部４の１構成例を示すブロック図である。
【００１９】
発光制御部４は、Ａ／Ｄ変換部３によってＡ／Ｄ変換された入力画像データＶｄａｔａにおいて移動体となり得る画像の特徴を検出する絵柄検出部１０と、入力画像データＶｄａｔａの垂直同期信号Ｖｓｙｎｃの周期毎、すなわち１フレーム毎に「０」，「１」が反転するＶパルスＶｐを発生するＶパルス発生部１１と、入力画像データＶｄａｔａの水平同期信号Ｈｓｙｎｃの周期毎、すなわち１ライン毎に「０」，「１」が反転するＨパルスＨｐを発生するＨパルス発生部１２と、Ａ／Ｄ変換部３のクロック信号Ｃｌｏｃｋの周期毎、すなわち入力画像データＶｄａｔａの画素毎に「０」，「１」が反転するＰパルスＰｐを発生するＰパルス発生部１３と、絵柄検出部１０の検出結果を１ライン遅らせる１ラインディレイ１４と、絵柄検出部１０の検出結果と１ラインディレイ１４の出力とに基づいて後述するスイッチ１６を制御するＰパルス選択部１５と、Ｐパルス選択部１５の制御によりＰパルスＰｐ、ＨパルスＨｐまたは後述する１ラインディレイ１７の出力のいずれかを選択するスイッチ１６と、スイッチ１６の出力ＳＷ１を１ライン遅らせる１ラインディレイ１７と、ＶパルスＶｐとＨパルスＨｐとスイッチ１６の出力ＳＷ１とに基づいて発光パターンＡまたはＢのいずれかを選択する発光パターン選択部１８と、発光パターン選択部１８の出力と入力画像データＶｄａｔａとに基づいて発光パターンＡまたは発光パターンＢを生成する発光パターン生成部１９とから構成される。
【００２０】
Ｖパルス発生部１１とＨパルス発生部１２とＰパルス発生部１３と１ラインディレイ１４とＰパルス選択部１５とスイッチ１６と１ラインディレイ１７と発光パターン選択部１８とは、第１の発光制御手段と第２の発光制御手段とを構成している。
また、発光パターン生成部２１は、フレーム分割手段と第１の発光パターン生成手段と第２の発光パターン生成手段とを構成する。
【００２１】
移動体となり得る画像の特徴としては、画像の輪郭や、入力画像の画素データが直前の画素の「０１１１」から「１０００」へ桁上がりする４ビット、または直前の画素の「１０００」から「０１１１」へ桁下がりする４ビットを含む輝度変化などがある。
【００２２】
画像の輪郭を検出する（水平方向のエッジを検出する）絵柄検出部１０の構成を図３に示す。この場合の絵柄検出部１０は、入力画像データＶｄａｔａを１画素遅らせる１画素ディレイ１０１と、入力画像データＶｄａｔａと１画素ディレイ１０１の出力との差分データを求める減算器１０２と、減算器１０２から出力された差分データに基づいて画像の輪郭か否かを判定するコンパレータ１０３とから構成される。
【００２３】
図３に示した絵柄検出部１０では、入力画像データＶｄａｔａの現在の画素データとこれに隣接する直前の画素データ（１画素ディレイ１０１の出力）との差分データを減算器１０２で求める。そして、コンパレータ１０３は、減算器１０２から出力された差分データの絶対値と所定のしきい値とを比較して差分データの絶対値がしきい値以上であれば、画像の輪郭であると判断して検出結果「１」を出力し、差分データの絶対値がしきい値未満であれば、画像の輪郭ではないと判断して検出結果「０」を出力する。
【００２４】
桁上がりまたは桁下がりする４ビットを含む輝度変化を検出する絵柄検出部１０の構成を図４に示す。この場合の絵柄検出部１０は、入力画像データＶｄａｔａを１画素遅らせる１画素ディレイ２１１と、入力画像データＶｄａｔａの現在の画素データの第４ビットから第１ビットが「０１１１」と等しいか否かを判定するレベル判定部２１２と、１画素ディレイ２１１から出力された画素データの第４ビットから第１ビットが「１０００」と等しいか否かを判定するレベル判定部２１３と、入力画像データＶｄａｔａの現在の画素データの第４ビットから第１ビットが「１０００」と等しいか否かを判定するレベル判定部２１４と、１画素ディレイ２１１から出力された画素データの第４ビットから第１ビットが「０１１１」と等しいか否かを判定するレベル判定部２１５と、入力画像データＶｄａｔａの現在の画素データの第５ビットから第２ビットが「０１１１」と等しいか否かを判定するレベル判定部２１６と、１画素ディレイ２１１から出力された画素データの第５ビットから第２ビットが「１０００」と等しいか否かを判定するレベル判定部２１７と、入力画像データＶｄａｔａの現在の画素データの第５ビットから第２ビットが「１０００」と等しいか否かを判定するレベル判定部２１８と、１画素ディレイ２１１から出力された画素データの第５ビットから第２ビットが「０１１１」と等しいか否かを判定するレベル判定部２１９と、レベル判定部２１２と２１３の出力の論理積演算を画素毎に行う論理積演算部（ＡＮＤ）２２０と、レベル判定部２１４と２１５の出力の論理積演算を画素毎に行う論理積演算部２２１と、レベル判定部２１６と２１７の出力の論理積演算を画素毎に行う論理積演算部２２２と、レベル判定部２１８と２１９の出力の論理積演算を画素毎に行う論理積演算部２２３と、論理積演算部２２０と２２１と２２２と２２３の出力の論理和演算を画素毎に行う論理和演算部（ＯＲ）２２４とから構成される。
【００２５】
図４に示した絵柄検出部１０では、入力画像データＶｄａｔａの現在の画素データの第４ビットから第１ビットが「０１１１」と等しいか否かをレベル判定部２１２で判定すると同時に、１画素前の画素データ（１画素ディレイ２１１の出力）の第４ビットから第１ビットが「１０００」と等しいか否かをレベル判定部２１３で判定し、レベル判定部２１２の出力とレベル判定部２１３の出力との論理積演算を論理積演算部２２０で行う。
【００２６】
したがって、レベル判定部２１２は現在の画素データの第４ビットから第１ビットが「０１１１」と等しい場合のみ「１」を出力し、レベル判定部２１３は１画素前の画素データの第４ビットから第１ビットが「１０００」と等しい場合のみ「１」を出力するので、画素データの第４ビットから第１ビットが「１０００」から「０１１１」に変化した場合のみ、論理積演算部２２０は「１」を出力し、それ以外の場合には「０」を出力する。
【００２７】
同様に、論理積演算部２２１は、画素データの第４ビットから第１ビットが「０１１１」から「１０００」に変化した場合のみ「１」を出力し、論理積演算部２２２は、画素データの第５ビットから第２ビットが「１０００」から「０１１１」に変化した場合のみ「１」を出力し、論理積演算部２２３は、画素データの第５ビットから第２ビットが「０１１１」から「１０００」に変化した場合のみ「１」を出力する。
【００２８】
なお、図４では、画素データの第６ビットから第３ビットについて同様の処理を行うレベル判定部と論理積演算部、画素データの第７ビットから第４ビットについて同様の処理を行うレベル判定部と論理積演算部については記載を省略しており、論理和演算部２２４は、これら記載を省略した論理積演算部の出力をも入力としている。
論理和演算部２２４は、論理積演算部２２０，２２１，２２２，２２３と記載を省略した論理積演算部のうち少なくとも１つから「１」が出力された場合、検出結果「１」を出力し、それ以外の場合には検出結果「０」を出力する。こうして、入力画像の画素データが直前の画素の「０１１１」から「１０００」へ桁上がりする４ビット、または直前の画素の「１０００」から「０１１１」へ桁下がりする４ビットを含む輝度変化を検出することができる。
なお、移動体となり得る画像の特徴として、入力画像の画素データが直前の画素の「０１１」から「１００」へ桁上がりする３ビットを含む輝度変化、直前の画素の「１００」から「０１１」へ桁下がりする３ビットを含む輝度変化、直前の画素の「０１１１１」から「１００００」へ桁上がりする５ビットを含む輝度変化、直前の画素の「１００００」から「０１１１１」へ桁下がりする５ビットを含む輝度変化を検出するようにしてもよい。
【００２９】
次に、Ｖパルス発生部１１、Ｈパルス発生部１２およびＰパルス発生部１３について説明する。図５はＶパルス発生部１１、Ｈパルス発生部１２およびＰパルス発生部１３の１構成例を示すブロック図である。Ｖパルス発生部１１は、後述する反転部１１２の出力を垂直同期信号Ｖｓｙｎｃと同期して保持するフリップフロップ１１１と、フリップフロップ１１１の出力を論理反転する反転部１１２とから構成される。Ｈパルス発生部１２は、後述する反転部１２２の出力を水平同期信号Ｈｓｙｎｃと同期して保持するフリップフロップ１２１と、フリップフロップ１２１の出力を論理反転する反転部１２２とから構成される。Ｐパルス発生部１３は、後述する反転部１３２の出力をクロック信号Ｃｌｏｃｋと同期して保持するフリップフロップ１３１と、スイッチ１６の出力ＳＷ１を論理反転する反転部１３２とから構成される。
【００３０】
Ｖパルス発生部１１のフリップフロップ１１１は、プラズマディスプレイ装置のパワーオン時にパワーオン信号Ｐｏｎによりリセットされ、値が「０」のＶパルスＶｐを出力する。このとき、反転部１１２からは「１」が出力される。垂直同期信号Ｖｓｙｎｃが入力されると、フリップフロップ１１１は、反転部１１２の出力「１」を保持して、次の垂直同期信号Ｖｓｙｎｃが入力されるまで値が「１」のＶパルスＶｐを出力し、反転部１１２は「０」を出力する。
【００３１】
次の垂直同期信号Ｖｓｙｎｃが入力されると、フリップフロップ１１１は、反転部１１２の出力「０」を保持して、値が「１」のＶパルスＶｐを出力する。こうして、Ｖパルス発生部１１は、入力画像データＶｄａｔａの１フレーム毎に「０」，「１」が反転するＶパルスＶｐを発生する。
【００３２】
Ｈパルス発生部１２のフリップフロップ１２１は、垂直同期信号Ｖｓｙｎｃによりリセットされて、値が「０」のＨパルスＨｐを出力する。このとき、反転部１２２からは「１」が出力される。水平同期信号Ｈｓｙｎｃが入力されると、フリップフロップ１２１は、反転部１２２の出力「１」を保持して、次の水平同期信号Ｈｓｙｎｃが入力されるまで値が「１」のＨパルスＨｐを出力し、反転部１２２は「０」を出力する。
【００３３】
次の水平同期信号Ｈｓｙｎｃが入力されると、フリップフロップ１２１は、反転部１２２の出力「０」を保持して、値が「０」のＨパルスＨｐを出力する。こうして、Ｈパルス発生部１２は、入力画像データＶｄａｔａの１ライン毎に「０」，「１」が反転するＨパルスＨｐを発生する。
【００３４】
Ｐパルス発生部１３のフリップフロップ１３１は、水平同期信号Ｈｓｙｎｃによりリセットされて、値が「０」のＰパルスＰｐを出力する。このとき、スイッチ１６がＰパルスＰｐを選択しているとすれば、反転部１３２からは「１」が出力される。Ａ／Ｄ変換部３のクロック信号Ｃｌｏｃｋが入力されると、フリップフロップ１３１は、反転部１３２の出力「１」を保持し、次のクロック信号Ｃｌｏｃｋが入力されるまで値が「１」のＰパルスＰｐを出力し続ける。
【００３５】
このとき、スイッチ１６がＰパルスＰｐを選択しているとすれば、反転部１３２からは「０」が出力される。次のクロック信号Ｃｌｏｃｋが入力されると、フリップフロップ１３１は、反転部１３２の出力「０」を保持し、値が「０」のＰパルスＰｐを出力する。こうして、Ｐパルス発生部１３は、入力画像データＶｄａｔａの画素毎に「０」，「１」が反転するＰパルスＰｐを発生する。
【００３６】
なお、以上のＰパルス発生部１３の動作は絵柄検出部１０の検出結果が「０」の場合の動作である。スイッチ１６は、絵柄検出部１０の検出結果が「１」で、１ラインディレイ１４の出力が「０」の場合、ＨパルスＨｐを選択するので、ＨパルスＨｐにより反転部１３２の出力が決定され、また絵柄検出部１０の検出結果が「１」で、１ラインディレイ１４の出力も「１」の場合、１ラインディレイ１７の出力を選択するので、１ラインディレイ１７の出力により反転部１３２の出力が決定される。
【００３７】
次に、発光パターン選択部１８は、ＶパルスＶｐとＨパルスＨｐとスイッチ１６の出力ＳＷ１とに基づいて発光パターンＡまたはＢのいずれかを画素毎に選択する。表１に発光パターン選択部１８の入出力の関係を示す。
【００３８】
【表１】
2005024783.tif 000003
【００３９】
表１により、発光パターン選択部１８は、例えばＶパルスＶｐとＨパルスＨｐとスイッチ１６の出力ＳＷ１とが全て「０」の場合、発光パターンＡを選択し、ＶパルスＶｐとＨパルスＨｐとが「０」で、スイッチ１６の出力ＳＷ１が「１」の場合、発光パターンＢを選択する。
【００４０】
次に、１ラインディレイ１４は、絵柄検出部１０の検出結果を１ライン遅らせ、Ｐパルス選択部１５は、絵柄検出部１０の検出結果と１ラインディレイ１４の出力とに基づいてスイッチ１６を制御する。
【００４１】
Ｐパルス選択部１５は、絵柄検出部１０の現在の検出結果が「０」のときスイッチ１６にＰパルスＰｐを選択させ、絵柄検出部１０の現在の検出結果が「１」で、１ラインディレイ１４の出力が「０」のときスイッチ１６にＨパルスＨｐを選択させ、絵柄検出部１０の現在の検出結果が「１」で、１ラインディレイ１４の出力も「１」のときスイッチ１６に１ラインディレイ１７の出力を選択させる。
【００４２】
次に、発光パターン生成部１９の動作について説明する。本実施の形態のプラズマディスプレイ装置は、図６（ａ）に示すように、１フレーム期間を１２個のサブフレームＳＦ１〜ＳＦ１２に分割し２５６階調の表示を可能にするものである。各サブフレームＳＦ１〜ＳＦ１２は、それぞれ走査期間と発光期間とを有し、サブフレームＳＦ１〜ＳＦ１２の各発光期間の比率は１：２：４：８：１６：３２：３２：３２：３２：３２：３２：３２に設定されている。
【００４３】
発光パターン生成部１９は、入力画像データＶｄａｔａの画素データの値が「６３」で、かつ発光パターン選択部１８によって発光パターンＡが選択された場合は図６（ｂ）に示すようにサブフレームＳＦ１，ＳＦ２，ＳＦ３，ＳＦ４，ＳＦ５，ＳＦ６を選択して発光させる。このとき、サブフレームＳＦ１，ＳＦ２，ＳＦ３，ＳＦ４，ＳＦ５，ＳＦ６の発光によって表される輝度は「６３」である。また、発光パターン生成部１９は、画素データの値が「６３」で、かつ発光パターン選択部１８によって発光パターンＢが選択された場合も図６（ｂ）に示すようにサブフレームＳＦ１，ＳＦ２，ＳＦ３，ＳＦ４，ＳＦ５，ＳＦ６を選択して発光させる。
【００４４】
次に、入力画像データＶｄａｔａの画素データの値が「６４」で、かつ発光パターン選択部１８によって発光パターンＡが選択された場合、発光パターン生成部１９は、サブフレームＳＦ１，ＳＦ２，ＳＦ４，ＳＦ５，ＳＦ６，ＳＦ７を選択して発光させる。このとき、サブフレームＳＦ１，ＳＦ２，ＳＦ４，ＳＦ５，ＳＦ６，ＳＦ７の発光によって表される輝度は「７５」である。また、発光パターン生成部１９は、画素データの値が「６４」で、かつ発光パターン選択部１８によって発光パターンＢが選択された場合はサブフレームＳＦ１，ＳＦ３，ＳＦ５，ＳＦ６を選択して発光させる。このとき、サブフレームＳＦ１，ＳＦ３，ＳＦ５，ＳＦ６の発光によって表される輝度は「５３」である。
【００４５】
このように、画素データが「６３」から「６４」に桁上がりするような場合もできるだけ発光の重心が移動しないように発光サブフレームを選択する。この例の場合、画素データ「６４」に対応する発光パターンＡの輝度は「７５」、発光パターンＢの輝度は「５３」であるが、本実施の形態では発光パターンＡとＢが交番するようにしているので、輝度の平均値は「６４」となる。従来のように発光パターンＡとＢが交番しない場合には、輝度「７５」と「５３」の市松模様となる。
【００４６】
発光パターン生成部１９は、発光パターン選択部１８の出力が発光パターンＡを表す場合、以上の生成規則に従って入力画像データＶｄａｔａの現在の画素データから発光パターンＡを生成して、駆動部２を通じてＰＤＰ１の対応画素を発光パターンＡで発光させる。また、発光パターン生成部１９は、発光パターン選択部１８の出力が発光パターンＢを表す場合、入力画像データＶｄａｔａの現在の画素データから発光パターンＢを生成して、ＰＤＰ１の対応画素を発光パターンＢで発光させる。
なお、本実施の形態では、図６のサブフレーム構成を用いているが、図９のサブフレーム構成を用いてもよいし、他のサブフレーム構成でもよい。
【００４７】
絵柄検出部１０が移動体となり得る画像の特徴を検出しない場合、すなわち検出結果が「０」の場合、スイッチ１６はＰパルス選択部１５の制御によりＰパルスＰｐを選択する。したがって、ＶパルスＶｐ＝「０」のフレームにおいて、ＨパルスＨｐ＝「０」のライン上のＰパルスＰｐ＝「０」の画素は表１に示したとおり発光パターンＡで発光し、同ライン上のＰパルスＰｐ＝「１」の画素は発光パターンＢで発光する。また、ＨパルスＨｐ＝「１」のライン上のＰパルスＰｐ＝「０」の画素は発光パターンＢで発光し、同ライン上のＰパルスＰｐ＝「１」の画素は発光パターンＡで発光する。
【００４８】
これに対し、ＶパルスＶｐ＝「１」のフレームでは、ＨパルスＨｐ＝「０」のライン上のＰパルスＰｐ＝「０」の画素は発光パターンＢで発光し、同ライン上のＰパルスＰｐ＝「１」の画素は発光パターンＡで発光する。また、ＨパルスＨｐ＝「１」のライン上のＰパルスＰｐ＝「０」の画素は発光パターンＡで発光し、同ライン上のＰパルスＰｐ＝「１」の画素は発光パターンＢで発光する。
【００４９】
これにより、移動体となり得る画像の特徴が存在しない入力画像データＶｄａｔａの場合、ＶパルスＶｐ＝「０」のフレームにおける発光パターンＡとＢの配置が図７（ａ）のようになるとすれば、ＶパルスＶｐ＝「１」のフレームにおいては発光パターンＡとＢの配置が図７（ｂ）のようになる。すなわち、水平方向、垂直方向共に発光パターンＡとＢとが画素毎に交互に並び、かつフレーム毎に発光パターンＡとＢとが入れ替わるように発光する。
【００５０】
次に、絵柄検出部１０が移動体となり得る画像の特徴を検出した場合について図８を用いて説明する。絵柄検出部１０の検出結果が「１」で、１ラインディレイ１４の出力が「０」の場合、スイッチ１６はＰパルス選択部１５の制御によりＨパルスＨｐを選択する。このため、ＶパルスＶｐ＝「０」のフレームにおいて、絵柄検出部１０の検出結果が「１」となった画素（以下、特徴検出画素と呼ぶ）は、ＨパルスＨｐ＝「０」かつスイッチ１６の出力ＳＷ１＝「０」の場合とＨパルスＨｐ＝「１」かつスイッチ１６の出力ＳＷ１＝「１」の場合のいずれかとなり、発光パターンＡで発光する。
【００５１】
図８（ａ）の例では、第２ラインの第２画素、第５ラインの第５画素、第６ラインの第４画素および第７ラインの第３画素が、特徴検出画素である。なお、第３ラインの第２画素と第４ラインの第２画素も特徴検出画素であるが、これらについては後述する。
【００５２】
前述のように、絵柄検出部１０の検出結果が「１」で、１ラインディレイ１４の出力が「０」の場合、スイッチ１６はＨパルスＨｐを選択しており、Ｐパルス発生部１３の反転部１３２にはスイッチ１６の出力ＳＷ１が入力されるので、ＨパルスＨｐ＝「０」のライン上の特徴検出画素において反転部１３２からはＨパルスＨｐ＝「０」を反転した「１」が出力される。
【００５３】
このため、特徴検出画素から水平方向に１画素後の隣接画素では、Ｐパルス発生部１３のフリップフロップ１３１はＰパルスＰｐ＝「１」を出力する。この隣接画素において絵柄検出部１０の検出結果が「０」であるとすれば、スイッチ１６はＰパルスＰｐを選択するので、スイッチ１６の出力ＳＷ１が「１」となり、発光パターン選択部１８は発光パターンＢを選択する。
【００５４】
ＨパルスＨｐ＝「１」のライン上の特徴検出画素の場合には、反転部１３２から「０」が出力される。このため、特徴検出画素から水平方向に１画素後の隣接画素では、フリップフロップ１３１はＰパルスＰｐ＝「０」を出力する。この隣接画素において絵柄検出部１０の検出結果が「０」であるとすれば、スイッチ１６の出力ＳＷ１が「０」となり、発光パターン選択部１８は発光パターンＢを選択する。つまり、ＨパルスＨｐ＝「０」またはＨパルスＨｐ＝「１」のいずれのラインにおいても特徴検出画素から１画素後の隣接画素は、発光パターンＢで発光する。
【００５５】
次に、ＨパルスＨｐ＝「０」のライン上の隣接画素においてスイッチ１６の出力ＳＷ１＝「１」なので、特徴検出画素から水平方向に２画素後の画素では、フリップフロップ１３１はＰパルスＰｐ＝「０」を出力する。この画素においても絵柄検出部１０の検出結果が「０」であるとすれば、スイッチ１６の出力ＳＷ１が「０」となり、発光パターン選択部１８は発光パターンＡを選択する。
【００５６】
ＨパルスＨｐ＝「１」のライン上の隣接画素の場合には、スイッチ１６の出力ＳＷ１＝「０」なので、特徴検出画素から水平方向に２画素後の画素では、フリップフロップ１３１はＰパルスＰｐ＝「１」を出力する。この画素においても絵柄検出部１０の検出結果が「０」であるとすれば、スイッチ１６の出力ＳＷ１が「１」となり、発光パターン選択部１８は発光パターンＡを選択する。つまり、ＨパルスＨｐ＝「０」またはＨパルスＨｐ＝「１」のいずれのラインにおいても特徴検出画素から２画素後の隣接画素は、発光パターンＡで発光する。
【００５７】
以上のように、ＶパルスＶｐ＝「０」のフレームにおいて、特徴検出画素が現れ、かつ１ライン前の画素が特徴検出画素ではない場合、特徴検出画素は発光パターンＡで発光し、特徴検出画素から水平方向に１画素後の隣接画素は発光パターンＢで発光し、特徴検出画素から水平方向に２画素後の画素は発光パターンＡで発光するといったように、特徴検出画素から順に発光パターンＡ，Ｂ，Ａ，Ｂ・・・・と画素毎に交互に発光する。図８（ａ）の例では、第２ラインの第２画素、第３画素、第４画素、第５画素がＡ，Ｂ，Ａ，Ｂと交互に発光していることが分かる。
【００５８】
次に、第２ラインの第２画素が特徴検出画素として検出された後、この特徴検出画素から垂直方向に１画素後の隣接画素（第３ラインの第２画素）においても絵柄検出部１０の検出結果が「１」となった場合の動作について説明する。
前述のように、Ｐパルス選択部１５は、絵柄検出部１０の検出結果が「１」で、１ラインディレイ１４の出力も「１」のとき、スイッチ１６に１ラインディレイ１７の出力を選択させる。
したがって、ＨパルスＨｐ＝「０」のライン上の画素が特徴検出画素として検出され、スイッチ１６の出力ＳＷ１が「０」であったとき、発光パターン選択部１８は発光パターンＡを選択するが、この特徴検出画素から垂直方向に１画素後（ＨパルスＨｐ＝「１」）の隣接画素も特徴検出画素として検出されると、このときのスイッチ１６の出力ＳＷ１も「０」となるため、発光パターン選択部１８は発光パターンＢを選択する。また、ＨパルスＨｐ＝「０」のライン上の画素が特徴検出画素として検出され、スイッチ１６の出力ＳＷ１が「１」であったとき、発光パターンＢが選択されるが、この特徴検出画素から垂直方向に１画素後の隣接画素も特徴検出画素として検出されると、このときのスイッチ１６の出力ＳＷ１も「１」となるため、発光パターンＡが選択される。
一方、ＨパルスＨｐ＝「１」のライン上の画素が特徴検出画素として検出され、スイッチ１６の出力ＳＷ１が「０」であったとき、発光パターンＢが選択されるが、この特徴検出画素から垂直方向に１画素後（ＨパルスＨｐ＝「０」）の隣接画素も特徴検出画素として検出されると、このときのスイッチ１６の出力ＳＷ１も「０」となるため、発光パターンＡが選択される。また、ＨパルスＨｐ＝「１」のライン上の画素が特徴検出画素として検出され、スイッチ１６の出力ＳＷ１が「１」であったとき、発光パターンＡが選択されるが、この特徴検出画素から垂直方向に１画素後の隣接画素も特徴検出画素として検出されると、このときのスイッチ１６の出力ＳＷ１も「１」となるため、発光パターンＢが選択される。
【００５９】
このため、第２ラインの第２画素から順に発光パターンＡ，Ｂ，Ａ，Ｂ・・・・が選択されたとすれば、第３ラインの第２画素以降では、図８（ａ）に示すように、発光パターンＢ，Ａ，Ｂ，Ａ・・・・が選択されることになる。こうして、現在の第３ラインで特徴検出画素が検出され、かつ１ライン前の隣接画素で画像の特徴が検出されたときは、第３ラインの特徴検出画素は１ライン前の隣接画素と反対の発光パターンで発光する。
【００６０】
次に、ＶパルスＶｐ＝「１」のフレームにおいて、絵柄検出部１０の検出結果が「１」となった場合について説明する。ＶパルスＶｐ＝「１」のフレームにおいて、絵柄検出部１０の検出結果が「１」で、１ラインディレイ１４の出力が「０」の場合、絵柄検出部１０の検出結果が「１」となった特徴検出画素は、ＨパルスＨｐ＝「０」かつスイッチ１６の出力ＳＷ１＝「０」の場合とＨパルスＨｐ＝「１」かつスイッチ１６の出力ＳＷ１＝「１」の場合のいずれかとなり、発光パターンＢで発光する。
【００６１】
図８（ｂ）の例では、第２ラインの第３画素、第５ラインの第５画素、第６ラインの第４画素および第７ラインの第３画素が、特徴検出画素である。なお、第３ラインの第３画素と第４ラインの第３画素も特徴検出画素であるが、これらについては後述する。
【００６２】
ＶパルスＶｐ＝「０」の場合と同様に、ＨパルスＨｐ＝「０」のライン上の特徴検出画素から水平方向に１画素後の隣接画素において、絵柄検出部１０の検出結果が「０」であるとすれば、スイッチ１６の出力ＳＷ１が「１」となり、発光パターン選択部１８は発光パターンＡを選択する。ＨパルスＨｐ＝「１」のライン上の特徴検出画素から水平方向に１画素後の隣接画素において、絵柄検出部１０の検出結果が「０」であるとすれば、スイッチ１６の出力ＳＷ１が「０」となり、発光パターン選択部１８は発光パターンＡを選択する。つまり、ＨパルスＨｐ＝「０」またはＨパルスＨｐ＝「１」のいずれのラインにおいても特徴検出画素から１画素後の隣接画素は、発光パターンＡで発光する。
【００６３】
次に、ＶパルスＶｐ＝「０」の場合と同様に、ＨパルスＨｐ＝「０」のライン上の特徴検出画素から水平方向に２画素後の画素において、絵柄検出部１０の検出結果が「０」であるとすれば、スイッチ１６の出力ＳＷ１が「０」となり、発光パターン選択部１８は発光パターンＢを選択する。ＨパルスＨｐ＝「１」のライン上の特徴検出画素から水平方向に２画素後の画素において、絵柄検出部１０の検出結果が「０」であるとすれば、スイッチ１６の出力ＳＷ１が「１」となり、発光パターン選択部１８は発光パターンＢを選択する。つまり、ＨパルスＨｐ＝「０」またはＨパルスＨｐ＝「１」のいずれのラインにおいても特徴検出画素から２画素後の隣接画素は、発光パターンＢで発光する。
【００６４】
以上のように、ＶパルスＶｐ＝「１」のフレームにおいて、特徴検出画素が現れ、かつ１ライン前の画素が特徴検出画素ではない場合、特徴検出画素は発光パターンＢで発光し、特徴検出画素から水平方向に１画素後の隣接画素は発光パターンＡで発光し、特徴検出画素から水平方向に２画素後の画素は発光パターンＢで発光するといったように、特徴検出画素から順に発光パターンＢ，Ａ，Ｂ，Ａ・・・・と画素毎に交互に発光する。図８（ｂ）の例では、第２ラインの第３画素、第４画素、第５画素、第６画素がＢ，Ａ，Ｂ，Ａと交互に発光していることが分かる。
【００６５】
次に、第２ラインの第３画素が特徴検出画素として検出された後、この特徴検出画素から垂直方向に１画素後の隣接画素（第３ラインの第３画素）においても絵柄検出部１０の検出結果が「１」となった場合の動作について説明する。
スイッチ１６は、絵柄検出部１０の検出結果が「１」で、１ラインディレイ１４の出力も「１」のとき、１ラインディレイ１７の出力を選択する。
したがって、ＨパルスＨｐ＝「０」のライン上の画素が特徴検出画素として検出され、スイッチ１６の出力ＳＷ１が「０」であったとき、発光パターン選択部１８は発光パターンＢを選択するが、この特徴検出画素から垂直方向に１画素後（ＨパルスＨｐ＝「１」）の隣接画素も特徴検出画素として検出されると、このときのスイッチ１６の出力ＳＷ１も「０」となるため、発光パターン選択部１８は発光パターンＡを選択する。また、ＨパルスＨｐ＝「０」のライン上の画素が特徴検出画素として検出され、スイッチ１６の出力ＳＷ１が「１」であったとき、発光パターンＡが選択されるが、この特徴検出画素から垂直方向に１画素後の隣接画素も特徴検出画素として検出されると、このときのスイッチ１６の出力ＳＷ１も「１」となるため、発光パターンＢが選択される。
一方、ＨパルスＨｐ＝「１」のライン上の画素が特徴検出画素として検出され、スイッチ１６の出力ＳＷ１が「０」であったとき、発光パターンＡが選択されるが、この特徴検出画素から垂直方向に１画素後（ＨパルスＨｐ＝「０」）の隣接画素も特徴検出画素として検出されると、このときのスイッチ１６の出力ＳＷ１も「０」となるため、発光パターンＢが選択される。また、ＨパルスＨｐ＝「１」のライン上の画素が特徴検出画素として検出され、スイッチ１６の出力ＳＷ１が「１」であったとき、発光パターンＢが選択されるが、この特徴検出画素から垂直方向に１画素後の隣接画素も特徴検出画素として検出されると、このときのスイッチ１６の出力ＳＷ１も「１」となるため、発光パターンＡが選択される。
【００６６】
このため、第２ラインの第３画素から順に発光パターンＢ，Ａ，Ｂ，Ａ・・・・が選択されたとすれば、第３ラインの第３画素以降では、図８（ｂ）に示すように、発光パターンＡ，Ｂ，Ａ，Ｂ・・・・が選択されることになる。こうして、現在の第３ラインで特徴検出画素が検出され、かつ１ライン前の隣接画素で画像の特徴が検出されたときは、第３ラインの特徴検出画素は１ライン前の隣接画素と反対の発光パターンで発光する。
【００６７】
以上のように、本実施の形態では、入力画像データＶｄａｔａにおいて移動体となり得る画像の特徴を画素ごとに検出して、移動体となり得る画像の特徴を有する特徴検出画素の発光パターンがフレーム毎に入れ替わるようにしている。
画像はフレーム間で絵柄の相関が強い。つまり、複数のフレームにおいて画像の特徴を検出した場合、各フレームの画像の特徴は同一の物体を表している可能性がある。したがって、特徴検出画素の発光パターンがフレーム毎に入れ替わるようにしてやれば、各フレームの画像の特徴が同一の物体を表し、人の目がこの物体を追いかけたとしても、発光パターンがフレーム毎に入れ替わるため、従来の動画偽輪郭抑制方法のように固定された配列で発光するように見えることがなくなる。その結果、格子状ノイズを発生させることなく動画偽輪郭を低減することができる。
【００６８】
【発明の効果】
本発明によれば、入力画像において移動体となり得る画像の特徴を画素毎に検出する絵柄検出手順と、現在のラインで画像の特徴を有する特徴検出画素が検出され、かつ１ライン前の隣接画素で画像の特徴が検出されないとき、入力画像が偶数フレームであれば、特徴検出画素を第１の発光パターンで発光させ、入力画像が奇数フレームであれば、特徴検出画素を第２の発光パターンで発光させる第１の発光制御手順と、現在のラインで特徴検出画素が検出され、かつ１ライン前の隣接画素で画像の特徴が検出されたとき、特徴検出画素を１ライン前の隣接画素と異なる発光パターンで発光させる第２の発光制御手順とを実行するようにしたことにより、画像の動きの量や人の目の動きによらずに、特徴検出画素の発光パターンがフレーム毎に必ず反転するため、格子状の明暗のノイズを発生させることなく動画偽輪郭を低減することができる。
【図面の簡単な説明】
【図１】本発明の実施の形態となるプラズマディスプレイ装置の構成を示すブロック図である。
【図２】本発明の実施の形態における発光制御部の１構成例を示すブロック図である。
【図３】本発明の実施の形態における絵柄検出部の１構成例を示すブロック図である。
【図４】本発明の実施の形態における絵柄検出部の他の構成例を示すブロック図である。
【図５】本発明の実施の形態におけるＶパルス発生部、Ｈパルス発生部およびＰパルス発生部の１構成例を示すブロック図である。
【図６】本発明の実施の形態におけるサブフレームの配列構成と画素の発光パターンの例を示す図である。
【図７】移動体となり得る画像の特徴が存在しない場合の発光パターンの配置例を示す図である。
【図８】移動体となり得る画像の特徴が存在する場合の発光パターンの配置例を示す図である。
【図９】従来のプラズマディスプレイパネル装置におけるサブフレームの配列構成を示す図である。
【図１０】従来の動画偽輪郭抑制方法を説明するための図である。
【図１１】従来の動画偽輪郭抑制方法において格子状ノイズが発生する理由を説明するための図である。
【符号の説明】
１…プラズマディスプレイパネル、２…駆動部、３…Ａ／Ｄ変換部、４…発光制御部、１０…絵柄検出部、１１…Ｖパルス発生部、１２…Ｈパルス発生部、１３…Ｐパルス発生部、１４…１ラインディレイ、１５…Ｐパルス選択部、１６…スイッチ、１７…１ラインディレイ、１８…発光パターン選択部、１９…発光パターン生成部。
【図１】
2005024783.tif 000004
【図２】
2005024783.tif 000005
【図３】
2005024783.tif 000006
【図４】
2005024783.tif 000007
【図５】
2005024783.tif 000008
【図６】
2005024783.tif 000009
【図７】
2005024783.tif 000010
【図８】
2005024783.tif 000011
【図９】
2005024783.tif 000012
【図１０】
2005024783.tif 000013
【図１１】
2005024783.tif 000014